(57)【要約】【課題】輸送コスト、組み立て作業、平面積及び容積の違いに対する追従性等の利点を維持しつつ、機械的強度の向上を図った雨水貯留／貯留浸透槽を提供する。【解決手段】複数の面板部材１、２は、隣接する２つの面板部材１、２の一方に備えられた凸部１４、２４が、他方に備えられた凹部１３、２３と凹凸嵌合して面状に配置されるとともに、間隔を持って対面して配置される。側板部材３は、面板部材１、２の一面と、凹凸嵌合により結合されるものであり、複数の側板部材３のうち、隣接する２つの面板部材１の境界に存在する側板部材３は、一端が、隣接する２つの面板部材１の各凸部１４、２４に備えられた２つ１組の突起１５、１６、間に嵌合され、隣接する２つの面板部材１において共用される。支持部材Ｓは、面板部材１、２の対面間隔内に配置される。【選択図】      図１
2005016084.tif 000002
【特許請求の範囲】
【請求項１】
面板部材と、側板部材と、支持部材とを含む雨水貯留／貯留浸透槽であって、
前記面板部材は、少なくとも２組の対向辺組を有し、前記対向辺組の相対向する２辺は、互いに対応する凹部及び凸部を有しており、前記凸部のそれぞれは、少なくも一面に間隔を隔てて対向する２つ１組の突起を有しており、
前記面板部材は複数備えられ、前記複数の面板部材は、前記隣接する２つの面板部材の一方に備えられた前記凸部が、他方に備えられた前記凹部と凹凸嵌合して面状に配置されるとともに、間隔を持って対面して配置されており、
前記側板部材は、前記面板部材の一面と、凹凸嵌合により結合されるものであり、
前記側板部材は複数備えられ、前記複数の側板部材のうち、隣接する２つの前記面板部材の境界に存在する側板部材は、一端が、隣接する２つの面板部材の各凸部に備えられた２つ１組の前記突起間に嵌合され、隣接する２つの面板部材において共用されており、
前記支持部材は、前記面板部材の対面間隔内に配置されている雨水貯留／貯留浸透槽。
【請求項２】
請求項１に記載された雨水貯留／貯留浸透槽であって、
前記支持部材は、十字状に形成されている雨水貯留／貯留浸透槽。
【請求項３】
請求項１または２の何れかに記載された雨水貯留／貯留浸透槽であって、
前記支持部材は、井桁状に形成されている雨水貯留／貯留浸透槽。
【請求項４】
請求項１乃至３の何れかに記載された雨水貯留／貯留浸透槽であって、
前記支持部材は、波板で構成される雨水貯留／貯留浸透槽。
【発明の詳細な説明】
【０００１】
【発明の属する技術分野】
本発明は、雨水貯留／貯留浸透槽に関する。本発明に係る雨水貯留／貯留浸透槽は、雨水を貯留しておく雨水貯留槽と、雨水を一次的に貯留し、貯留した雨水を地中に緩やかに浸透させて排出する雨水貯留浸透槽の両者を含む。
【０００２】
【従来の技術】
この種の雨水貯留浸透設備は、集水した雨水を一時的に貯留し、貯留した雨水を地中に緩やかに浸透させて排出することにより、河川への急激な雨水流入を調整する目的で、地中に埋設して用いられるものであって、従来より、種々のタイプのものが提案され、実用に供されている。
【０００３】
例えば、特許文献１は、面板部材と、側板部材とを組み合わせた雨水貯留／貯留浸透槽を開示している。
【０００４】
しかし、特許文献１に開示された技術は、面板部材と、側板部材とで空間を構成し、この空間を雨水貯留空間としているため、地中に埋設された際の周囲の土砂等から受ける圧力に対抗して雨水貯留空間を維持するのが容易でないという問題があった。
【０００５】
【特許文献１】
特開２００３−０３４９７０号公報
【０００６】
【発明が解決しようとする課題】
本発明の課題は、優れた機械的強度を有する雨水貯留／貯留浸透槽を提供することである。
【０００７】
【課題を解決するための手段】
上述した課題を解決するため、本発明に係る雨水貯留／貯留浸透槽は、面板部材と、側板部材と、支持部材とを含む。前記面板部材は、少なくとも２組の対向辺組を有し、前記対向辺組の相対向する２辺は、互いに対応する凹部及び凸部を有しており、前記凸部のそれぞれは、少なくも一面に間隔を隔てて対向する２つ１組の突起を有している。前記面板部材は複数備えられ、前記複数の面板部材は、隣接する２つの面板部材の一方に備えられた前記凸部が、他方に備えられた前記凹部と凹凸嵌合して面状に配置されるとともに、間隔を持って対面して配置されている。前記側板部材は、前記面板部材の一面と、凹凸嵌合により結合されるものであり、前記側板部材は複数備えられ、前記複数の側板部材のうち、隣接する２つの前記面板部材の境界に存在する側板部材は、一端が、隣接する２つの面板部材の各凸部に備えられた２つ１組の前記突起間に嵌合され、隣接する２つの面板部材において共用される。前記支持部材は、前記面板部材の対面間隔内に配置されている。
【０００８】
上述したように、本発明に係る雨水貯留／貯留浸透槽は、面板部材と、側板部材と、支持部材とに分かれているので、嵩張ることのない態様で輸送することができる。このため、輸送コストが低減されると共に、輸送が容易になる。
【０００９】
本発明に係る雨水貯留／貯留浸透槽を構成するには、地中に設けた穴の内部で、面板部材及び側板部材を、左右、上下及び前後方向に、立体的に組み合わせて行く。
【００１０】
組み合わせにおいては、まず、面板部材を、底板として用い、これを、地中に設けた穴の底面上に平面状に配置する。面板部材は、対向辺組の相対向する２辺に、互いに対応する凹部及び凸部を有する。従って、隣接する面板部材において、一方の凹部に、他方の凸部を嵌め込む凹凸嵌合により、全体として一体化され、平面化された底板配置構造を実現できる。このように、面板部材の凹凸嵌合によって敷きつめて行くので、底板の組立作業が極めて容易になる。
【００１１】
次に、底板を構成する面板部材の一面に、側板部材を、凹凸嵌合により結合する。面板部材及び側板部材の間の結合も、凹凸嵌合によるので、その組立作業が極めて容易になる。
【００１２】
側板部材のうち、隣接する面板部材の境界に存する側板部材は、隣接する面板部材において共用される。従って、側板部材の使用数を減少させ、コスト低減、組立容易化、及び、組立迅速化を図ることができる。
【００１３】
上述のようにして配置された面板部材及び側板部材に対し、側板部材で囲まれた底板としての面板部材の上に支持部材を配置し、これらの上に、天板として、面板部材を配置し、最小単位の雨水貯留／貯留浸透槽が得られる。
【００１４】
支持部材は、底板及び天板としての面板部材の対面間隔内に配置され、雨水貯留空間の内側から面板部材もしくは側板部材を支持するので、雨水貯留／貯留浸透槽が地中に埋設された際の周囲の土砂等から受ける圧力に対抗して、雨水貯留／貯留浸透槽の強度を増大させる。
【００１５】
天板を構成する面板部材の一面は、側板部材に対して、凹凸嵌合により結合する。天板を構成する面板部材も、側板部材に対して凹凸嵌合されるので、その組立作業が極めて容易になる。
【００１６】
しかも、天板を構成する面板部材において、相対向する２辺は互いに対応する凹部及び凸部を有する。従って、隣接する天板のうち、一方の天板を構成する面板部材の凹部に、他方の天板を構成する面板部材の凸部を嵌め込み、凹凸嵌合により、全体として一体化され、平面化された天板配置構造を実現できる。
【００１７】
上述したように、天板を、面板部材の凹凸嵌合によって敷きつめて行くだけでよいので、その組立作業が極めて容易になる。天板を構成する面板部材は、底板を構成する面板部材と、全く同じものであってもよいし、基本構造を同じくし、かつ、具体的細部で異なっていてもよい。
【００１８】
なお、最小単位の雨水貯留／貯留浸透槽を得る場合は面板部材を天板として用いるが、複数層の積み重ね構造とする場合は、面板部材を天板ではなく、中間板として用いる。
【００１９】
複数層の積み重ね構造の雨水貯留／貯留浸透槽を得るには、天板を構成する面板部材を中間板として用い、その上に側板部材を嵌め込み、側板部材で囲まれた中間板としての面板部材の上に支持部材を配置し、更に支持部材及び側板部材上に中間板となる面板部材を配置し、側板部材に嵌め込む組立作業を繰り返す。これにより、複数層の積み重ね構造の雨水貯留／貯留浸透槽が得られる。
【００２０】
面板部材及び側板部材は、面内に開口部を有するから、流入した雨水を、一次的に貯留し、貯留した雨水を、前記開口部を通して、時間を掛けて緩やかに地中に浸透させる貯留浸透槽を実現することができる。また、周囲に遮水層を設けた場合は雨水貯留槽を得ることができる。
【００２１】
雨水貯留／貯留浸透槽の平面積及び容積は、面板部材の平面枚数、及び、面板部材と側板部材との積み重ね数の選択により、任意に変更できる。従って、平面積及び容積の違いに容易に追従し得る。
【００２２】
雨水貯留／貯留浸透槽の組立体のまわりには、周知の技術に従って、不織布等の透水性保護層を設け、組立体の内部への土砂の流入を阻止する。
【００２３】
本発明の他の目的、構成及び利点については、実施例である添付図面を参照し、更に詳しく説明する。図面は単なる例示にすぎない。
【００２４】
【発明の実施の形態】
図１は本発明に係る雨水貯留／貯留浸透槽の分解斜視図、図２は図１に示した雨水貯留／貯留浸透槽の組立状態を示す斜視図である。これらの図は、最小単位としての雨水貯留／貯留浸透槽を示す。
【００２５】
図示された雨水貯留／貯留浸透槽は、面板部材１、２と、側板部材３と、支持部材Ｓとを含む。これらは、適当なプラスチック材料、または、プラスチック材料と無機粉体とを混合した複合材料を用いた成型品として構成することができる。
【００２６】
図３は支持部材の一実施例を示す分解斜視図である。図示するように、支持部材Ｓは、２枚の枠体Ｓ１、Ｓ２を含み、剛性を有するプラスチック材料、または、プラスチック材料と無機粉体とを混合した複合材料等で構成される。
【００２７】
それぞれの枠体Ｓ１、Ｓ２は、高さ寸法Ｈと、幅寸法Ｗとを有する。高さ寸法Ｈは、面板部材１、２の対向面間の寸法と同じか、わずかに小さく設定されている。幅寸法Ｗは、側板部材３の相対向する面間の寸法と同じか、わずかに小さく設定されている。高さ寸法Ｈと、幅寸法Ｗとは、同寸法に設定されることが好ましい。
【００２８】
図示する枠体Ｓ１は、下辺側から中央部まで、板厚Ｔと略等しい幅の切り込みＳ１１が形成されている。同様に、枠体Ｓ２は、上辺側から中央部まで、同様の切り込みＳ２１が形成されている。枠体Ｓ１及びＳ２は、それぞれの切り込みＳ１１、Ｓ２１部分を、相互に嵌合することで十字状に組み合わされる。
【００２９】
支持部材Ｓは、図１に図示するように、面板部材１、２及び側板部材３に対し、側板部材３で囲まれた面板部材１、２の対面間隔内に配置され、雨水貯留空間の内側から面板部材１、２及び側板部材３に当接し、面板部材１、２及び側板部材３を支持する。
【００３０】
本実施例において、支持部材Ｓは、２枚の枠体Ｓ１、Ｓ２で構成されるが、波板を用いたり、面板部材１、２の形状に合わせ、多数の板材を一点もしくは多点で交叉させる組み合わせ構造等をとることもできる。例えば、波板を用いて支持部材Ｓを構成した場合、波形と並行する方向からの圧力に対し、支持強度を向上できる。支持部材Ｓの配置は、雨水貯留／貯留浸透槽を多層構造とした場合、必ずしも最小単位としての雨水貯留／貯留浸透槽の全てに配置する必要は無く、土圧等に応じて適宜配置すればよい。
【００３１】
図４は、雨水貯留／貯留浸透槽において、底板として用いられる面板部材の平面図、図５は図４の５−５線に沿った拡大部分断面図、図６は図５に示す突起の別の実施例を示す部分拡大断面図である。
【００３２】
図４を参照すると、面板部材１は、面内に開口部１１を有する。開口部１１は、面板部材１の面内に略均等に１６個の貫通孔として設けてある。
【００３３】
面板部材１は、少なくとも２組の対向辺組を有する。対向辺組のそれぞれにおいて、相対向する２辺は互いに対応する位置に凹部１３及び凸部２４を有する。図示する面板部材１は、全体形状がほぼ正四角形状であり、隣接する２辺のほぼ中間部には凹部１３を有し、他の隣接する２辺の中間部には凸部１４を有する。凹部１３の両側には、凸部１４が設けられており、凸部１４の両側には凹部１３が設けられている。凹部１３及び凸部１４は、いわゆる「鳩尾継」を構成し得る形状を持つ。
【００３４】
実施例とは異なって、面板部材１、２は、他の角形状、例えば、６角形状、８角形状等であってもよい。凹部及び凸部は面板部材１の外形形状に合わせてその形成位置が選定される。
【００３５】
面板部材１の一面または両面には、各辺に沿って、２つ１組の突起１５、１６が設けられている。図５を参照すると、面板部材１は、両面の相対する位置に、間隔Ｇ１１を隔てて、高さＨ１１の２本の突起１５、１６を有する。突起１５及び１６は、側板部材３を挟持する。従って、図６に示す様に、２本の突起１５、１６は、上端に内向きフック部１５１、１６１を有することもできる。
【００３６】
図７は本発明に係る雨水貯留／貯留浸透槽において、天板または中間板として用いられる面板部材の平面図である。図７に示す面板部材２は、図４に示した面板部材１と基本的構造を同じくするものであるが、全く同じものを用いることもできる。
【００３７】
図７に示された面板部材２は、開口部２１の大きさ、個数等が面板部材１と異なるだけで、他の基本的構成は面板部材１と同じである。図示された面板部材は、中間板であり、最上面を構成する場合は、好ましくは図４に示した面板部材を用いる。
【００３８】
面板部材２は、全体形状がほぼ正四角形状であり、隣接する２辺のほぼ中間部に凹部２３を有し、他の隣接する２辺の中間部に凸部２４を有する。凹部２３の両側には、凸部２４が設けられており、凸部２４の両側には凹部２３が設けられている。凹部２３及び凸部２４も、「鳩尾継」を構成し得る形状を持つ。
【００３９】
面板部材２も、他の角形状、例えば、６角形状、８角形状等であってもよいこと、凹部や凸部は面板部材２の外形形状に合わせてその形成位置が選定されること等は、面板部材１の場合と同様である。
【００４０】
また、面板部材２の一面または両面には、各辺に沿って、２つ１組の突起２５、２６が設けられている。これらの突起２５、２６も、図５及び図６に示した構造を持つ。
【００４１】
図８は本発明に係る雨水貯留／貯留浸透槽に含まれる側板部材の斜視図、図９は図８の９−９線に沿った拡大部分断面図である。側板部材３は、面内に開口部３１を有する。図９に拡大して示すように、側板部材３は、外枠部３２を有する。外枠部３２は、外周部を囲むように配置されている。また、側板部材３は、外枠部３２の間に、仕切板３３を有する。仕切板３３は上下方向に延び、横方向に波形に連続する。仕切板３３の山及び谷の部分には、多数の貫通孔状の開口部３１が設けられている。図示実施例の側板部材３は、ほぼ直交する２つの面を含むＬ形の形状を有する。Ｌ形形状は一体成形、調板構造による機械的接続等によって実現できる。これとは異なって、平板状であってもよい。また、開口部３１は、上下方向に延びるスリットであってもよい。
【００４２】
側板部材３は、面板部材１の一面と、凹凸嵌合により結合される。具体的には、側板部材３は、下端部が面板部材１に備えられた２つの突起１５、１６の間に挿入され、その際に生じる凹凸嵌合により、面板部材１の一面に結合される。２つの突起１５、１６が、図６に示したような構造を持つ場合、側板部材３の下端部は、突起１５、１６の内向きフック部１５１、１６１によって、確実に保持される。
【００４３】
側板部材３の上端部には、面板部材２が結合される。結合において、面板部材２に備えられた２つの突起２５、２６の間に、側板部材１の上端部が挿入され、その際に生じる凹凸嵌合により、面板部材２の一面に結合される。２つの突起２５、２６が、図６に示したような構造を持つ場合、側板部材３の下端部は、突起２５、１６の内向きフック部２５１、２６２によって、確実に保持される。
【００４４】
上述したように、雨水貯留／貯留浸透槽は、面板部材１、２と、側板部材３と、支持部材Ｓとに分離されているので、面板部材１、２、側板部材３及び支持部材Ｓを、嵩張ることのない態様で輸送することができるから、輸送コストが低減される共に、輸送が容易になる。具体的には、面板部材１、２は平板状であり、支持部材Ｓは、２枚の枠体Ｓ１、４２で構成されるので、嵩張らない状態で重ねて輸送できる。また、図示の側板部材３はＬ形であるから、同一向きに重ねることにより嵩張りを回避し得る。側板部材３が平板状である場合には、面板部材１、２及び支持部材Ｓと同様に、積み重ねて輸送できる。
【００４５】
図示実施例の雨水貯留／貯留浸透槽を構成するには、面板部材１を、底板として用い、その上に側板部材３を凹凸嵌合により結合し、十字状に組み立てた支持部材Ｓを面板部材１上に配置し、その上に、面板部材２を天板として、凹凸嵌合により結合するだけでよい。このため、組立作業が極めて容易になる。
【００４６】
面板部材１、２及び側板部材３は開口部１１、２１、３１を有しているから、透水性保護膜で覆って、地中に埋設した場合、雨水を、開口部１１、２１、３１を通して、地中に浸透させる雨水貯留浸透槽を得ることができる。また、周囲に遮水層を設けた場合は雨水貯留槽を得ることができる。
【００４７】
以上の説明は、最初に述べたように、最小単位としての雨水貯留／貯留浸透槽を示したものである。いずれの場合も、支持部材は、底板及び天板としての面板部材１、２の対面間隔内に配置され、雨水貯留空間の内側から面板部材１、２もしくは側板部材３を支持するので、雨水貯留／貯留浸透槽が地中に埋設された際の周囲の土砂等から受ける圧力に対抗して、雨水貯留／貯留浸透槽の強度を増大させる。
【００４８】
次に、実際の使用に、より適する多層構造の雨水貯留／貯留浸透槽の構成について説明する。
【００４９】
図１０及び図１１は本発明に係る雨水貯留／貯留浸透槽の構成の一部を示す分解斜視図、図１２は図１０及び図１１に示した雨水貯留／貯留浸透槽の組立状態を示す斜視図である。図示された雨水貯留／貯留浸透槽を構成するには、地中に設けた穴の内部で、面板部材１、２、側板部材３及び支持部材Ｓを、左右、上下及び前後方向に、立体的に組み合わせて行く。
【００５０】
組み合わせにおいては、まず、雨水貯留／貯留浸透槽のそれぞれに含まれる面板部材１を、底板として用い、これを、地中に設けた穴の底面上に平面状に配置する。図１３及び図１４は、面板部材の配置及び接続を説明する図である。面板部材１は、２組の対向辺組のそれぞれは相対向する２辺を含み、２辺のうちの一辺は凹部１３を有し、他辺は凹部１３と対応する凸部１４を有する。従って、図１３に示すように、隣接する面板部材１、１において、一方の凹部１３に、他方の凸部１４を嵌め込み、凹凸嵌め合いにより全体として一体化され、平面化された底板配置構造を実現できる。このように、底板となる面板部材１を、凹凸嵌合によって敷きつめて行くので、その組立作業が極めて容易になる。
【００５１】
底板を構成する面板部材１は、雨水貯留／貯留浸透槽として要求される平面積に応じて、必要な枚数だけ、前後及び左右に平面的に配置し、かつ、相互に凹凸嵌合により結合する。
【００５２】
次に、底板を構成する面板部材１の一面に、側板部材３を、凹凸嵌合により結合する。凹凸嵌合は、面板部材１の一面上に設けられた２つの突起１５、１６の間に、側板部材３の下端部を挿入する（図５及び図６等参照）ことによって実行される。このように、面板部材１及び側板部材３の結合も、凹凸嵌合によるので、その組立作業が極めて容易になる。
【００５３】
側板部材３は筒状となるように配置する。この場合、側板部材３のうち、隣接する面板部材１の境界に存する側板部材３は、隣接する面板部材１において共用される。従って、側板部材３の使用数を減少させ、コスト低減、組立容易化、及び、組立迅速化を図ることができる。隣接する面板部材１の境界に存しない側板部材３としては、Ｌ形（図８参照）の他、平板状のものも用いることができる。
【００５４】
上述のようにして筒状に配置された側板部材３の内部の面板部材１上に、支持部材Ｓが配置される。本実施例の支持部材Ｓは４枚の平板を井桁状に組み合わせて構成している。このように構成すると、面板部材１にリブ等の挟持機構が無くとも、支持部材Ｓを安定して配置できる。なお、図１０に示す支持部材Ｓは平板状体であるが、図３に示した枠状体を用いることもできる。支持部材Ｓが枠状体である場合、軽量化され運搬が容易となる。
【００５５】
側板部材３及び支持部材Ｓの上には、中間板として、面板部材２を配置する。中間板を構成する面板部材２の一面は、側板部材３に対して、凹凸嵌合により結合する。凹凸嵌合は、面板部材２の一面上に設けられた２つの突起２５、２６の間に、側板部材３の上端部を挿入する（図５及び図６等参照）ことによって実行される。このため、側板部材３に対する面板部材２の組立作業も極めて容易になる。
【００５６】
しかも、中間板を構成する面板部材２は、相対向する２辺のうちの一辺は凹部２３を有し、他辺は凹部２３と対応する凸部２４を有する（図７参照）。従って、図１４に示すように、隣接する中間板のうち、一方の面板部材２の凹部２３に、他方の面板部材２の凸部２４を嵌め込み、凹凸嵌め合いにより全体として一体化され、平面化された中間板の配置構造を実現できる。上述したように、中間板を、面板部材２の凹凸嵌合によって敷きつめて行くだけでよいので、その組立作業が極めて容易になる。
【００５７】
この後、中間板を構成する面板部材２の上に側板部材３を嵌め込み、支持部材Ｓを配置し、更にその上に中間板となる面板部材２を配置し、面板部材２を側板部材３に嵌め込む組立作業を、必要回数繰り返す。これにより、要求される容積を持つ雨水貯留／貯留浸透槽が得られる。
【００５８】
雨水貯留／貯留浸透槽の平面積及び容積は、面板部材１、２の平面敷設枚数、及び、面板部材と側板部材との積み重ね数の選択により、任意に変更できる。従って、実際的な場面で要求される平面積及び容積を有する雨水貯留／貯留浸透槽を容易に実現し得る。
【００５９】
具体的に、図１５は側板部材の配置を説明する図である。図示実施例は、（ｎ×ｎ）個のＬ形の側板部材を、ｎ行ｎ列配置とした例を示している。図示するように、行数及び列数が同じ場合には、配置対角線Ｄ１を境界線にして、下半分に属する側板部材の群Ｇ１と、上半分に属する側板部材の群Ｇ２とを、互いに対向させた配置になる。
【００６０】
図１６は側板部材の別の配置を説明する図である。図示実施例は、側板部材を、ｎ行ｍ列配置（ｍ＜ｎ）とした例を示している。図示するように、行数ｎ及び列数ｍが異なる場合には、Ｌ形の側板部材の他、平面状の側板部材３ｍ１、３ｍ２を用いればよい。行数ｎ及び列数ｍの差が大きくなるにつれ、平面状の側板部材の数は増加する。
【００６１】
上述したように、Ｌ形の側板部材を用いた場合は、平面積及び容積が変化しても、規則的に配置してゆけばよいので、その配置及び組立を、迅速に実行することができる。
【００６２】
図１７は本発明に係る雨水貯留浸透槽を地中に埋設した状態を示す図である。雨水貯留浸透槽Ｆは、地中４に形成された穴５の内部に配置され、上面側が土、砂利、コンクリートまたはアスファルト等の層７によって覆われている。支持部材は、底板及び天板としての面板部材１、２の対面間隔内に配置され、雨水貯留空間の内側から面板部材１、２もしくは側板部材３を支持するので、雨水貯留／貯留浸透槽が地中に埋設された際の周囲の土砂等から受ける圧力に対抗して、雨水貯留／貯留浸透槽の強度を増大させる。
【００６３】
雨水貯留浸透槽Ｆの周囲は、周知の技術に従って、不織布等の透水性保護層６によって覆い、雨水貯留浸透槽Ｆの内部への土砂の流入を阻止する。
【００６４】
面板部材１、２及び側板部材３は、面内に、それぞれ、開口部１１、２１、３１を有するから、流入管８から流入した雨水を一時的に貯留し、開口部１１、２１、３１を通して地中に浸透させることができる。
【００６５】
雨水貯留／貯留浸透槽Ｆは、平板状の面板部材１、２及び仕切板３３を有する側板部材３を積層した構造であり、側板部材３の仕切板３３により地表側から加わる荷重を板面と平行な方向（縦方向）で受ける波形であるから、面板部材１、２の対向面間に配置された支持体による支持と相俟って、地表側から加わる荷重に対して十分に大きな機械的強度を確保することができる。また、支持体の端面を側板部材３の内面に当接して配置すれば、仕切板３３を波形にしたことと相俟って、横方向から加わる土圧に対しても、十分に対抗することができる。
【００６６】
図１７において、透水性保護層６を遮水層６に替え、遮水層６によって雨水貯留浸透槽Ｆの底面を含む全周を覆えば、雨水貯留槽を構成できる。
【００６７】
以上、好ましい実施例を参照して本発明を詳細に説明したが、本発明はこれらに限定されるものではなく、当業者であれば、その基本的技術思想および教示に基づき、種々の変形例を想到できることは自明である。
【００６８】
【発明の効果】
以上述べたように、本発明によれば、優れた機械的強度を有する雨水貯留／貯留浸透槽を提供することができる。
【図面の簡単な説明】
【図１】本発明に係る雨水貯留／貯留浸透槽の分解斜視図である。
【図２】図１に示した雨水貯留／貯留浸透槽の組立状態を示す斜視図である。
【図３】支持部材の一実施例を示す分解斜視図である。
【図４】本発明に係る雨水貯留／貯留浸透槽において、底板として用いられる面板部材の平面図である。
【図５】図４の５−５線に沿った拡大部分断面図である。
【図６】図５に示す突起の別の実施例を示す部分拡大断面図である。
【図７】本発明に係る雨水貯留／貯留浸透槽において、天板または中間板とし  て用いられる面板部材の平面図である。
【図８】本発明に係る雨水貯留／貯留浸透槽に含まれる側板部材の斜視図である。
【図９】図８の９−９線に沿った拡大部分断面図である。
【図１０】本発明に係る雨水貯留／貯留浸透槽の構成の一部を示す分解斜視図である。
【図１１】本発明に係る雨水貯留／貯留浸透槽の構成の一部を示す分解斜視図である。
【図１２】図１０及び図１１に示した雨水貯留／貯留浸透槽の組立状態を示す斜視図である。
【図１３】底板を構成する面板部材の配置及び接続を説明する図である。
【図１４】天板または中間板を構成する面板部材の配置及び接続を説明する図である。
【図１５】側板部材の配置を説明する図である。
【図１６】側板部材の別の配置を説明する図である。
【図１７】本発明に係る雨水貯留浸透槽を地中に埋設した状態を示す図である。
【符号の説明】
１、２                    面板部材
１３、２３                凹部
１４、２４                凸部
１５、１６、２５、２６    突起
３                        側板部材
Ｓ                        支持部材
【図１】
2005016084.tif 000003
【図２】
2005016084.tif 000004
【図３】
2005016084.tif 000005
【図４】
2005016084.tif 000006
【図５】
2005016084.tif 000007
【図６】
2005016084.tif 000008
【図７】
2005016084.tif 000009
【図８】
2005016084.tif 000010
【図９】
2005016084.tif 000011
【図１０】
2005016084.tif 000012
【図１１】
2005016084.tif 000013
【図１２】
2005016084.tif 000014
【図１３】
2005016084.tif 000015
【図１４】
2005016084.tif 000016
【図１５】
2005016084.tif 000017
【図１６】
2005016084.tif 000018
【図１７】
2005016084.tif 000019